(57)【要約】  【課題】    安定した高周波接着効果が得られ、透湿性、防水性、耐水溶性及び気密性共に優れ、着用時にムレを生じにくく、且つ、凝縮熱を密閉空間に蓄え高い保温効果を得ることができる、防水エアジャケットの提供。  【解決手段】  身ごろ、袖、帽子から構成され、そのうち、該身ごろ、袖または帽子は、そのすべてまたは一部にマイクロポーラスPUをベース剤とし、親水性PUを表面剤として利用し、ナイロンまたはポリエステル長繊維、交織布材料などの上にそれぞれを塗布した後、安定した高周波接着効果が形成され、この透湿・防水型気密布材料で作られたエアジャケットであって、空気充填時にマウスピースを利用して気体をジャケットの空気充填空間内に注入する。  【選択図】    図３
0003119407.tif 000002
【実用新案登録請求の範囲】
【請求項１】
身ごろ、袖、帽子から構成されるエアジャケットであって、そのうち、該身ごろ、袖または帽子は、そのすべてまたは一部にマイクロポーラスPUをベース剤とし、親水性PUを表面剤として利用し、ナイロンまたはポリエステル長繊維、交織布材料などの上にそれぞれを塗布した後、安定した高周波接着効果が形成され、この透湿・防水型気密布材料で作られたエアジャケットであり、空気充填時にマウスピースを利用して気体をジャケットの空気充填空間内に注入することを特徴とした、防水エアジャケット。
【考案の詳細な説明】
【技術分野】
【０００１】
本考案は、防水エアジャケットに関し、特に、マイクロポーラスPU（Micro-porous
PU）をベース剤、親水性PU（Hydrophlic PU）を表面剤として利用し、ナイロンまたはポリエステル長繊維糸、交織布材料上にそれぞれを塗布した後、安定した高周波接着効果が形成され、手触りがやわらかく、透湿性と防水性、耐水溶性及び気密性共に優れた透湿防水気密布材料となり、この透湿防水気密布材料を用いて作成したエアジャケットであって、着用時には人体が発散する水蒸気がマイクロポーラスPUのベース剤層を通り親水性PUの表面剤層に吸着されるため、ムレが減少されるほか、水蒸気が親水性PU表面剤層に吸着された後、放出される凝縮熱（Heat
of Condensation）が密閉されたエアバッグ内に蓄えられ、透湿性と保温性を同時に備えた防水エアジャケットに関する。
【背景技術】
【０００２】
現在、一般的にエアジャケットは空気漏れを防ぐため、ほとんどが気密性の高いTPUフィルム（熱可塑性ポリウレタンフィルム）またはPVCフィルム（ポリ塩化ビニルフィルム）をナイロンやポリエステル布材料に貼り合せ、高周波接着加工を経て作られるが、厚くて重く、柔軟性に欠け、透湿性がないという欠点がある。このため、着用時に容易にムレが発生し、快適性に劣る。                  
【０００３】
よく見受けられる透湿・防水性布材料の加工方法は、乾式または湿式の直接塗布、転移貼り合わせ、通気フィルム貼り合わせ等の方法があるが、図１に示すように、そのうち乾式または湿式の直接塗布加工について言えば、表層２及び内層３に対する従来の塗布方式では気孔１が発生しやすく、気密性・空気充填効果に劣る。さらに、図２に示すように、転移貼り合わせ加工方式では、気孔の発生の問題を回避することができるものの、布材料とPUフィルムの剥離強度に欠け、ブリッジ剤が含まれ高周波加工に不利であるという問題がある。さらに、直接通気フィルムを張り合わせる加工方法は、フィルムの厚さと通気性が反比例するため、鑑定した高周波加工のためには通気フィルムの厚さが0.05mm以上である必要があるが、この厚さの通気フィルムはその通気効果が低く、また、良好な剥離強度を得るために全面塗布貼り合わせを行うと、その通気性も大幅に低下してしまう。このため、現段階では高周波加工ができる透湿防水タイプの布材料がまだエアジャケットには利用されておらず、このため、上述の欠点をいかに排除するかが、本考案の解決する技術的問題点である。
【考案の開示】
【考案が解決しようとする課題】
【０００４】
上述の問題に鑑みて、本考案の目的は、安定した高周波接着効果が得られ、透湿性、防水性、耐水溶性及び気密性共に優れ、着用時にムレを生じにくく、且つ、凝縮熱を密閉空間に蓄え高い保温効果を得ることができる、防水エアジャケットを提供することにある。
【課題を解決するための手段】
【０００５】
図３、図４、図５に示すように、本考案は身ごろ５、袖６、帽子７から構成され、そのうち、該身ごろ５、袖６または帽子７は、そのすべてまたは一部にマイクロポーラスPUをベース剤１０とし、親水性PUを表面剤１１として利用し、ナイロンまたはポリエステル長繊維、交織布材料などの上にそれぞれを塗布した後、安定した高周波接着が可能となり、手触りがやわらかく、透湿性、防水性、耐水溶性及び気密性共に優れた透湿・防水型の気密布材料を利用する。この透湿・防水型気密布材料で作られたエアジャケットは、空気充填時にマウスピース４を利用して気体をジャケットの空気充填空間１４内に注入し、着用時には、人体１３が発散する水蒸気、即ち熱気１２が、マイクロポーラスPUのベース剤１０層を通過し、親水性PUの表面剤１１層に吸着されるため、着用時のムレが減少する。このほか、水蒸気が親水性PU表面剤層に吸着された後放出される凝縮熱が、図５に示す空気充填空間１４の密閉されたエアバッグ内にこもり、且つ、外部環境８の冷気９または湿気は、空気充填空間１４の外に阻隔されるため、同時に透湿と保温効果を兼ね備えることができる。
【考案の効果】
【０００６】
本考案の進歩性と実用性をより明確にするため、以下、従来品と比較して分析する。
「従来品の欠点」
１、厚くて重く、柔軟性に欠け、透湿性がないため、着用時にムレが生じやすく、快適さに欠ける。
２、従来の直接塗布加工方式では気孔が発生しやすく、且つ、フィルムが高周波加工に不向きである。
３、従来の転移貼り合わせ加工方式では、気孔の発生の問題は回避できるが、剥離強度に劣り、高周波加工にも不向きであり、空気充填の用途を達成させることが困難である。
４、通気フィルムの貼り合わせ加工は、フィルムの厚さと透湿性が反比例するため、高周波加工が可能な厚さを用いると厚さを薄くすることが難しく、また、通気フィルムの透湿効果も劣る。
５、実用性に欠ける。
６、進歩性、実用性を備えていない。
【０００７】
「本考案の利点」
１、安定した高周波接着効果が得られ、透湿性、防水性、耐水溶性及び気密性共に優れている。
２、水蒸気がマイクロポーラスPUのベース剤層を通過して親水性PUの表面剤層に吸着されるため、着用時にムレを発生しにくい。
３、水蒸気が親水性PU表面剤層に吸着された後放出される凝縮熱が密閉されたエアバッグ内にこもり、保温効果が得られる。
４、実用性が高い。
【考案を実施するための最良の形態】
【０００８】
本考案の実施方法は、図５に示すように、本考案の透湿・防水型気密布材料により作られた防水エアジャケットを使用者が着用するとき、空気充填時にはマウスピースを使って気体をジャケット内の空気充填空間１４に注入して気体が飽満した状態とし、人体１３が発散する水蒸気、即ち熱気１２が、マイクロポーラスPUのベース剤１０層を通過し、親水性PUの表面剤１１層に吸着される。このほか、水蒸気が親水性PU表面剤層に吸着された後放出される凝縮熱が、密閉されたエアバッグ、即ち空気充填空間１４内にこもり、且つ、外部環境８の冷気９または湿気が、空気充填空間１４の外に阻隔されるため、透湿と保温効果を同時に兼ね備えることができる。また、天候の状態により空気充填量を調節することができ、寒い戸外では、身ごろ、袖、帽子のそれぞれの空気注入孔から空気を注入し、エアバッグに空気が充填されると、空気の伝導と対流が減少され、且つ、人体が発散する熱を吸収してエアバッグ内に蓄積し、良好な保温効果を得ることができる、反対に、室内または暖かい日には、必要に応じて空気が充填された身ごろ、袖、帽子から空気を抜き、自由に着用の快適さを調整することができる。
【０００９】
図６に示すように、使用者が普段使用しないときには、エアジャケットなど本布材料で作った製品の空気充填空間内の気体を抜くと、一般の収納方法で折り畳んで収納ケース１５内に収納することができ、収納空間の無駄を減らすことができる。また、その重量が軽く、携帯や収納に便利であり、空気が未充填のときは折り畳んで体積を小さくし、ポケットやバッグ、スーツケースなどの中に簡単に収納できる。使用時には、空気を充填すると、その膨張により収納時に折り畳んだことによる皺を減少し、平坦さを向上して美観を保つことができる。
【００１０】
上述のように、本考案は従来技術を打破する構造の下、確実に機能性が増進され、且つ、該項技術に熟練していない人でも簡単に理解することができ、さらに、本考案はこれまで公開されたことがなく、進歩性、実用性を兼ね備えており、実用新案登録の出願要件に符合していることは明白であるため、法に基づきここに実用新案登録を出願するものである。
【００１１】
上述の説明は、本考案の最良の実施例に基づき説明したものであり、本考案の特許範囲を制限するものではなく、本考案の明細書及び図面の内容を運用した同等の構造を、直接的または間接的にその他関連技術領域に運用したものは、すべて本考案の要旨の範囲に含まれるものとみなす。
【図面の簡単な説明】
【００１２】
【図１】従来の防水ジャケットの構造を示す断面図である。
【図２】別の従来の防水ジャケットの構造を示す断面図である。
【図３】本考案の立体外観図である。
【図４】本考案の分解図である。
【図５】本考案の使用時の状態を示す断面図である。
【図６】本考案を収納ケースに収納した状態を示す立体図である。
【符号の説明】
【００１３】
１        気孔
２        表層
３        内層
４        マウスピース
５        身ごろ
６        袖
７        帽子
８        外部環境
９        冷気
１０      ベース剤
１１      表面剤
１２      熱気
１３      人体
１４      空気充填空間
１５      収納ケース
【図１】
0003119407.tif 000003
【図２】
0003119407.tif 000004
【図３】
0003119407.tif 000005
【図４】
0003119407.tif 000006
【図５】
0003119407.tif 000007
【図６】
0003119407.tif 000008
【手続補正書】
【提出日】平成17年2月10日(2005.2.10)
【手続補正１】
【補正対象書類名】実用新案登録請求の範囲
【補正対象項目名】請求項１
【補正方法】変更
【補正の内容】
【請求項１】
身ごろ、袖、帽子から構成されるエアジャケットであって、そのうち、該身ごろ、袖または帽子は、そのすべてまたは一部を形成するナイロンまたはポリエステル長繊維、交織布材料などの上にマイクロポーラスPUをベース剤として成る親水性PUを表面剤とし塗布して、該布材料を安定した高周波接着効果が形成された布材料とするとともに、該布材料を透湿性・防水型気密布をもつ布材料としこの布材料を以て形成したことを特徴とする防水エアジャケット。